(57)【特許請求の範囲】
【請求項１】
シートを切断するための刃を備えたシート切断具であって、
前記刃の尖端部よりも後の位置に、前記刃によって切断された一方のシート部分の軌道と前記刃によって切断された他方のシート部分の軌道を異ならせるためのシート案内手段を設けているものであり、
前記刃を保持する刃保持要素を備え、この刃保持要素が、切断されるべき前記シートが挿入し得るシート挿入空間と、前記シート挿入空間に配されたシート誘導部とを備えたものであり、
前記シート誘導部が、前記刃の尖端部に接する前記シートの部分を上側に向かって凸をなすように湾曲させる傾斜面を有したものであり、
前記シート案内手段が、前記刃保持要素に設けられ前記一方のシート部分の切断端縁を案内するための一方の溝状部分と、前記刃保持要素に設けられ前記他方のシート部分の切断端縁を案内するための他方の溝状部分とを備えているものであり、
前記刃保持要素が、前記刃を備えた刃ユニットを着脱可能に保持し得る支持体本体、及び、前記刃ユニットを構成し前記刃を支持するユニット部材により構成されたものであり、
これら支持体本体及びユニット部材のそれぞれに前記一方及び他方の溝状部分が形成されているシート切断具。
【請求項２】
前記尖端部が上下方向に延びてなるものであり、
前記シート案内手段が、前記一方のシート部分を上方向に案内し得るものであり、前記他方のシート部分を下方向に案内し得るものである請求項１記載のシート切断具。
【請求項３】
前記尖端部が、略直線状に設定されたものであり、
前記尖端部が、切断箇所のシート面に直交する角度よりも傾いた角度で前記シートに当接し得るように前記刃保持要素に設けられている請求項１又は２記載のシート切断具。
【請求項４】
前記尖端部が、略直線状に設定されたものであり、
前記尖端部が、前記シートの進行方向に直交する角度よりも傾いた角度で前記シートに当接し得るように前記刃保持要素に設けられている請求項１、２又は３記載のシート切断具。
【請求項５】
前記刃保持要素が、使用者が把持して操作し得る柄部を備えた支持体本体を備えている請求項１、２、３又は４記載のシート切断具。
【請求項６】
前記刃保持要素が、切断されるべき前記シートが挿入し得るシート挿入空間を備えている請求項１、２、３、４又は５記載のシート切断具。
【発明の詳細な説明】
【技術分野】
【０００１】
本発明は、用紙等のシートを切断するためのシート切断具に関する。
【背景技術】
【０００２】
従来から用紙等のシートを切断するための刃を備えたシート切断具が知られている（例えば、特許文献１を参照）。
【０００３】
ところで、刃によってシートを切断する際には、その刃によって切断された後に後方に流れていく一方のシート部分の軌道と他方のシート部分の軌道は殆ど同じである。このようなものであると、刃に対して一方のシート部分及び他方のシート部分の摩擦抵抗が作用しやすく、シートを好適に切断することができない場合があった。
【先行技術文献】
【特許文献】
【０００４】
【特許文献１】実開昭６１−１６０８７０号公報
【発明の概要】
【発明が解決しようとする課題】
【０００５】
本発明は、以上のような事情に着目してなされたもので、シートを好適に切断し得るシート切断具を提供することにある。
【課題を解決するための手段】
【０００６】
すなわち、本発明は次の構成をなしている。
【０００７】
請求項１に記載の発明は、シートを切断するための刃を備えたシート切断具であって、
前記刃の尖端部よりも後の位置に、前記刃によって切断された一方のシート部分の軌道と前記刃によって切断された他方のシート部分の軌道を異ならせるためのシート案内手段を設けているものであり、前記刃を保持する刃保持要素を備え、この刃保持要素が、切断されるべき前記シートが挿入し得るシート挿入空間と、前記シート挿入空間に配されたシート誘導部とを備えたものであり、前記シート誘導部が、前記刃の尖端部に接する前記シートの部分を上側に向かって凸をなすように湾曲させる傾斜面を有したものであり、前記シート案内手段が、前記刃保持要素に設けられ前記一方のシート部分の切断端縁を案内するための一方の溝状部分と、前記刃保持要素に設けられ前記他方のシート部分の切断端縁を案内するための他方の溝状部分とを備えているものであり、前記刃保持要素が、前記刃を備えた刃ユニットを着脱可能に保持し得る支持体本体、及び、前記刃ユニットを構成し前記刃を支持するユニット部材により構成されたものであり、これら支持体本体及びユニット部材のそれぞれに前記一方及び他方の溝状部分が形成されているシート切断具である。
【０００８】
請求項２に記載の発明は、前記尖端部が上下方向に延びてなるものであり、前記シート案内手段が、前記一方のシート部分を上方向に案内し得るものであり、前記他方のシート部分を下方向に案内し得るものである請求項１記載のシート切断具である。
【００１０】
請求項３に記載の発明は、前記尖端部が、略直線状に設定されたものであり、前記尖端部が、切断箇所のシート面に直交する角度よりも傾いた角度で前記シートに当接し得るように前記刃保持要素に設けられている請求項１又は２記載のシート切断具である。
【００１１】
請求項４に記載の発明は、前記尖端部が、略直線状に設定されたものであり、前記尖端部が、前記シートの進行方向に直交する角度よりも傾いた角度で前記シートに当接し得るように前記刃保持要素に設けられている請求項１、２又は３記載のシート切断具である。
【００１２】
請求項５に記載の発明は、前記刃保持要素が、使用者が把持して操作し得る柄部を備えた支持体本体を備えている請求項１、２、３又は４記載のシート切断具である。
【００１３】
請求項６に記載の発明は、前記刃保持要素が、切断されるべき前記シートが挿入し得るシート挿入空間を備えている請求項１、２、３、４又は５記載のシート切断具である。
【発明の効果】
【００１４】
以上説明したように本発明によれば、シートを好適に切断し得るシート切断具を提供することができるものとなる。
【図面の簡単な説明】
【００１５】
【図１】本発明の一実施形態を示す斜視図。
【図２】同実施形態における正面図。
【図３】同実施形態における背面図。
【図４】同実施形態における右側面図。
【図５】同実施形態における左側面図。
【図６】同実施形態における平面図。
【図７】同実施形態における底面図。
【図８】図５におけるＸ−Ｘ線断面図。
【図９】図６におけるＹ−Ｙ線断面図。
【図１０】同実施形態における分解斜視図。
【図１１】同実施形態の刃ユニットを示す斜視図。
【図１２】同実施形態の刃ユニットを示す正面図。
【図１３】同実施形態の刃ユニットを示す背面図。
【図１４】同実施形態の刃ユニットを示す左側面。
【図１５】同実施形態の刃ユニットを示す底面図。
【発明を実施するための形態】
【００１６】
以下、本発明の一実施形態を、図１〜１５を参照して説明する。
【００１７】
シート切断具Ａは、種々のシートｆ２を切断し得るものである。シート切断具Ａは、図１に一例として示すように、封筒Ｆ（例えば、日本郵便株式会社の「レターパック（登録商標）」などが挙げられる。）を開封するために使用され得るものとなっている。すなわち、シート切断具Ａは、図示しない物品を収納し得る封筒本体ｆ１の端縁から延出したシートｆ２たる被覆片（以下、単に「シートｆ２」と説明する場合がある。）を切断し得るように構成されている。シートｆ２たる被覆片は、その自由端側が封筒本体ｆ１の開口部近傍に貼り付けられるものであり、貼り付けられた状態で封筒本体ｆ１の開口部を覆い得るように設けられている。シートｆ２たる被覆片は、シート切断具Ａの刃１に切断され、切断された後に、切断端縁ｅ１を有した一方のシート部分ｆ２１、及び、切断端縁ｅ２を有した他方のシート部分ｆ２２が形成されるようになっている。
【００１８】
＜シート切断具Ａ＞
シート切断具Ａは、シートｆ２を切断するための刃１を備えた刃ユニットＣと、この刃ユニットＣを着脱可能に支持し得る支持体本体Ｄとを主体に構成されている。シート切断具Ａにおける刃ユニットＣは、使用を重ねることにより刃１の劣化が生じた場合等に、交換用である同一形状をなす他の刃ユニットと取り替え可能に構成されている。
【００１９】
＜刃ユニットＣ＞
刃ユニットＣは、平板状に形成された刃１と、この刃１を支持するユニット部材２とを備えている。ユニット部材２は、刃１における先端に形成された鋭利な部分である尖端部１１の一端側すなわち側面視における上側に配された一方のユニット形成部材たる上のユニット形成部材２１と、刃１の尖端部１１の他端側すなわち側面視における下側に配された他方のユニット形成部材たる下のユニット形成部材２２と、刃１の基端側すなわち側面視における後側に配された基端側ユニット形成部材２３を備えている。
【００２０】
刃１は、プレス加工等により作られた金属製のものであり、その尖端部１１をシートｆ２に係わらせて当該シートｆ２を一方のシート部分ｆ２１と他方のシート部分ｆ２２とに切断し得るものである。この実施形態では、刃１は、その尖端部１１が上下方向に延びてなるものであり、且つ、尖端部１１が略直線状に形成されたものとなっている。
【００２１】
刃１は、その尖端部１１が、切断箇所Ｐのシート面に直交する角度よりも傾いた角度でシートｆ２に当接し得るように、上のユニット形成部材２１、下のユニット形成部材２２、及び、基端側ユニット形成部材２３に支持されている。すなわち、刃１は、切断されるべきシートｆ２に対して直交する姿勢で当該シートｆ２に係わり合うのではなく、切断されるべきシートｆ２に対して直交する姿勢よりも傾いた姿勢で当該シートｆ２に係わり合うように配設されている。つまり、刃１は、正面視（図２）における水平に対して傾いた姿勢をなして配されている。
【００２２】
刃１は、その尖端部１１が、切断されるべきシートｆ２の進行方向に直交する角度よりも傾いた角度でシートｆ２に当接し得るように、上のユニット形成部材２１、及び、基端側ユニット形成部材２３に支持されている。すなわち、刃１は、側面視において、尖端部１１が後傾するように配設されている。
【００２３】
次いで、刃１を支持しているユニット部材２について詳述する。
【００２４】
ユニット部材２は、合成樹脂により一体に形成されたものであり、側面視において尖端部１１を前側に向かって露出させつつ刃１の上端部、後端部、及び、下端部を取り囲む形状をなしている。ユニット部材２は、上のユニット形成部材２１、下のユニット形成部材２２、及び、基端側ユニット形成部材２３を主体に構成されており、これらが樹脂により一体に形成されている。
【００２５】
上のユニット形成部材２１は、刃１の上端部を支持しているものである。上のユニット形成部材２１は、支持体本体Ｄの上支持部分４１に係合し得る形状すなわち内嵌めされ得る形状に設定されている。上のユニット形成部材２１の前端部は、側面視において、刃１の尖端部１１よりも前側に位置している。上のユニット形成部材２１には、支持体本体Ｄの上支持部分４１に形成された段部ａ１１に係わり合う鍔部２１ａが設けられている。
【００２６】
刃ユニットＣと支持体本体Ｄとの間には、通常の使用態様において、刃ユニットＣが支持体本体Ｄに対して抜け出ることを抑制するための抜け止め機構が設けられている。この実施形態では、シート切断具Ａの抜け止め機構は、刃ユニットＣに設けられた凸部ｔ１と、支持体本体Ｄに設けられた凹部ｔ２とを主体に構成されている。凸部ｔ１と凹部ｔ２が係わり合うことによって、支持体本体Ｄに対する刃ユニットＣの離脱が抑制されている。上のユニット形成部材２１の側面には、上支持部分４１の内側面に形成された凹部ｔ２に節度係合し得る凸部ｔ１が設けられている。
【００２７】
下のユニット形成部材２２は、側面視において、その上部分が基端側ユニット形成部材２３に連続しているものである。下のユニット形成部材２２の前端部は、側面視において、尖端部１１よりも前側に位置している。下のユニット形成部材２２と上のユニット形成部材２１との間には、シート挿入空間ｓｐが形成されている。
【００２８】
基端側ユニット形成部材２３は、刃１の後端部を支持しているものである。基端側ユニット形成部材２３は、側面視において、その上部分が上のユニット形成部材２１に連続しており、その下部分が下のユニット形成部材２２に連続している。基端側ユニット形成部材２３は、背面視において、下のユニット形成部材２２に対して傾いた姿勢（左側に傾斜した姿勢）で配設されている。
【００２９】
なお、この実施形態では、基端側ユニット形成部材２３に、刃１によって切断された一方のシート部分ｆ２１の軌道と、刃１によって切断された他方のシート部分ｆ２２の軌道を異ならせるためのシート案内手段Ｅが設けられているが詳しくは後述する。
【００３０】
＜支持体本体Ｄ＞
刃ユニットＣを着脱可能に保持し得る支持体本体Ｄについて説明する。なお、本明細書において、「刃保持要素Ｂ」とは、支持体本体Ｄ、及び、ユニット部材２により構成された概念である。
【００３１】
支持体本体Ｄは、使用者が手指により把持して操作し得る柄部３と、この柄部３の前側に配されたユニット支持部４と、このユニット支持部４に形成されたシート挿入空間ｓｐに配されたシート誘導部５とを備えたものである。柄部３、及び、ユニット支持部４は、合成樹脂により一体に形成されている。シート誘導部５は、ユニット支持部４とは別体に構成されたもので、ユニット支持部４に取り付けられている。
【００３２】
柄部３は、前後方向に延びた棒状のものである。柄部３は、操作者の手指によって掴むことができる寸法に設定されている。操作者は、手指によって柄部３を包むように把持したまま、当該柄部３の延伸方向に合わせるようにして、シート切断具Ａ全体を前側に移動させる（図５、図６における矢印Ｚを参照）ことにより、特定の箇所に固定配置されている切断対称物であるシートｆ２を切断できるようになっている。
【００３３】
ユニット支持部４は、上のユニット形成部材２１を支持し得る上支持部分４１と、下のユニット形成部材２２を支持し得る下支持部分４２と、刃１の後側に配されて上のユニット形成部材２１と下のユニット形成部材２２と連結する連結部分４３とを備えている。
【００３４】
上支持部分４１は、刃ユニットＣにおける下のユニット形成部材２２、基端側ユニット形成部材２３、及び、刃１を通過させ得るとともに上のユニット形成部材２１を支持し得る上下方向に連通した保持孔ａ１を備えている。この保持孔ａ１に上のユニット形成部材２１が嵌合するようになっている。保持孔ａ１には刃ユニットＣに設けられた凸部ｔ１が係合し得る凹部ｔ２が形成されている。
【００３５】
下支持部分４２は、刃ユニットＣにおける下のユニット形成部材２２と嵌合し得る保持孔ａ２を備えている。保持孔ａ２の下には、当該保持孔ａ２よりも小径に設定された連通孔ａ３が設けられている。連通孔ａ３は、支持体本体Ｄから刃ユニットＣを取り出す際に好適に使用される。すなわち、押圧用の任意の部材等を連通孔ａ３に挿通し、刃ユニットＣにおける下のユニット形成部材２２を下側から上側に向かって押圧することにより、刃ユニットＣは支持体本体Ｄから離脱し得るようになっている。
【００３６】
シート挿入空間ｓｐは、切断されるべきシートｆ２が挿入され得る空間であり、上支持部分４１と下支持部分４２との間に形成されている。シート挿入空間ｓｐに挿入されるシートｆ２は、その切断箇所Ｐにおける一面側が上を向くとともに他面側が下を向く姿勢をなすように設定されている。
【００３７】
連結部分４３は、刃ユニットＣにおける基端側ユニット形成部材２３の後側に配されたものであり、上支持部分４１の後部と下支持部分４２の後部との間に形成されている。この連結部分４３には、シート案内手段Ｈが設けられているが詳しくは後述する。
【００３８】
シート誘導部５は、シート挿入空間ｓｐに設けられ切断されるべきシートｆ２を特定の上下位置に誘導するためのもので、この実施形態では、シートｆ２を側面視において上方向に誘導するための傾斜面を備えている。シート誘導部５は、ユニット支持部４とは別体をなし、樹脂により形成された板状の部位を主体に構成されている。シート誘導部５は、その前端部が支持体本体Ｄにおける下支持部分４２の前端部に接続している。シート誘導部５は、正面視において山型をなす曲面状の傾斜面を有したものであり、上支持部分４１において下方に突出した左右の下端部４１ａと協働して、シートｆ２を上側に向かって凸をなすように一定程度湾曲させて、シートｆ２に一定の張りを与え得るように構成されている。
【００３９】
＜シート案内手段Ｅ、Ｈ＞
シート案内手段Ｅ、Ｈは、刃１によって切断された一方のシート部分ｆ２１の軌道と刃１によって切断された他方のシート部分ｆ２２の軌道を異ならせるためものであり、刃１の尖端部１１よりも後の位置に設けられている。シート案内手段Ｅ、Ｈは、一方のシート部分ｆ２１を上方向に案内し得るものであり、他方のシート部分ｆ２２を下方向に案内し得るものである。換言すれば、シート案内手段Ｅ、Ｈは、背面視において（特に図３を参照）、一方のシート部分ｆ２１における切断端縁ｅ１の高さ位置と他方のシート部分ｆ２２における切断端縁ｅ２の高さ位置を異ならせるためのものである。
【００４０】
この実施形態では、シート案内手段Ｅ、Ｈは、刃保持要素Ｂに設けられている。すなわち、第一のシート案内手段Ｅは、刃保持要素Ｂであるユニット部材２の基端側ユニット形成部材２３に設けられている。第二のシート案内手段Ｈは、刃保持要素Ｂである支持体本体Ｄの連結部分４３に設けられている。
【００４１】
刃ユニットＣの基端側ユニット形成部材２３に設けられたシート案内手段Ｅは、正面視における左側の部位（背面視における右側の部位）に形成され一方のシート部分ｆ２１の切断端縁ｅ１を案内するための一方の溝状部分ｍ１と、正面視における右側の部位（背面視における左側の部位）に形成され他方のシート部分ｆ２２の切断端縁ｅ２を案内するための他方の溝状部分ｍ２とを備えている。
【００４２】
支持体本体Ｄにおけるユニット支持部４の連結部分４３に設けられたシート案内手段Ｈは、正面視における左側の部位（背面視における右側の部位）に形成され一方のシート部分ｆ２１の切断端縁ｅ１を案内するための一方の溝状部分ｖ１と、正面視における右側の部位（背面視における左側の部位）に形成され他方のシート部分ｆ２２の切断端縁ｅ２を案内するための他方の溝状部分ｖ２とを備えている。
【００４３】
シート案内手段Ｅ、Ｈは、一方のシート部分ｆ２１の切断端縁ｅ１を案内し得る一方の溝状部分ｍ１、ｖ１と、他方のシート部分ｆ２２の切断端縁ｅ２を一方のシート部分ｆ２１の切断端縁ｅ１と異なる高さ位置（すなわち、一方のシート部分ｆ２１の切断端縁ｅ１よりも低い位置）に案内し得る他方の溝状部分ｍ２、ｖ２とを主体に構成されている。
【００４４】
シート案内手段Ｅ、Ｈを構成する一方の溝状部分ｍ１、ｖ１は、連続的な溝状の部分が形成され得るように形成されている。シート案内手段Ｅ、Ｈを構成する他方の溝状部分ｍ２、ｖ２は、連続的な溝状の部分が形成され得るように形成されている。
【００４５】
シート案内手段Ｅ、Ｈによりシートｆ２が案内される作用を説明すれば次の通りである。
【００４６】
切断されるべきシートｆ２がシート挿入空間ｓｐに挿入されると、そのシートｆ２は、当該シートｆ２に対して斜めの姿勢をなす刃１の尖端部１１に当接し、切断されていく。このとき、刃１の尖端部１１よりも後には、シートｆ２が尖端部１１により切断されて一方のシート部分ｆ２１と他方のシート部分ｆ２２が形成されることになる。
【００４７】
一方のシート部分ｆ２１における切断端縁ｅ１及びその近傍部位は、シート案手段Ｅ、Ｈを構成する一方の溝状部分ｍ１、ｖ１により、他方のシート部分ｆ２２における切断端縁ｅ２よりも背面視において上に位置するように案内されていく。
【００４８】
他方のシート部分ｆ２２における切断端縁ｅ２及びその近傍部位は、シート案手段Ｅ、Ｈを構成する他方の溝状部分ｍ２、ｖ２により、一方のシート部分ｆ２１における切断端縁ｅ１よりも背面視において下に位置するように案内されていく。
【００４９】
以上説明したように、本実施形態に係るシート切断具Ａは、シートｆ２を切断するための刃１を備えたものである。そして、刃１の尖端部１１よりも後の位置に、刃１によって切断された一方のシート部分ｆ２１の軌道と刃１によって切断された他方のシート部分ｆ２２の軌道を異ならせるためのシート案内手段Ｅ、Ｈを設けている。このため、シートｆ２を好適に切断し得るシート切断具Ａを提供することができるものとなる。
【００５０】
つまり、シート切断具Ａは、一方のシート部分ｆ２１の軌道と他方のシート部分ｆ２２の軌道を異ならせることにより、各シート部分ｆ２１、ｆ２２における切断端縁ｅ１、ｅ２と摩擦することにより発生し得る刃１に対する抵抗力を抑制し得るものとなっている。このため、比較的軽い操作でシートｆ２を好適に切断し得るものとなっている。
【００５１】
刃１の尖端部１１が上下方向に延びてなるものである。そして、シート案内手段Ｅ、Ｈが、一方のシート部分ｆ２１を上方向に案内し得るものであり、且つ、他方のシート部分ｆ２２を下方向に案内し得るものである。このため、一方のシート部分ｆ２１と他方のシート部分ｆ２２の軌道を上下方向に異ならせることにより所期の目的を達成し得るものとなっている。
【００５２】
刃１を保持する刃保持要素Ｂを備えている。そして、シート案内手段Ｅ、Ｈが、刃保持要素Ｂに設けられ一方のシート部分ｆ２１の切断端縁ｅ１を案内するための一方の溝状部分ｍ１、ｖ１と、刃保持要素Ｂに設けられ他方のシート部分ｆ２２の切断端縁ｅ２を案内するための他方の溝状部分ｍ２、ｖ２とを備えている。このため、溝状部分ｍ１、ｖ１、ｍ２、ｖ２を利用して、一方のシート部分ｆ２１と他方のシート部分ｆ２２の軌道を異ならせたものとなっている。
【００５３】
刃１の尖端部１１が、略直線状に設定されている。そして、刃１の尖端部１１が、切断箇所Ｐのシート面に直交する角度よりも傾いた角度でシートｆ２に当接し得るように、刃１が刃保持要素Ｂに設けられている。換言すれば、刃１がシートｆ２を斜めの姿勢で切断し得るように構成されている。このため、切断時における刃１に対するシートｆ２の抵抗が抑制され、好適にシートｆ２を切断し得るものとなっている。
【００５４】
刃１の尖端部１１が、シートｆ２における用紙挿入空間ｓｐ内の進行方向に直交する角度よりも傾いた角度で、シートｆ２に当接し得るように刃保持要素Ｂに設けられている。換言すれば、刃１の尖端部１１が側面視において後傾した状態で、当該刃１が刃保持要素Ｂに設けられている。このため、切断時における刃１に対するシートｆ２の抵抗が抑制され、好適にシートｆ２を切断し得るものとなっている。
【００５５】
刃保持要素Ｂが、使用者が把持して操作し得る柄部３を備えた支持体本体Ｄを備えている。このため、使用者がしっかりと持って操作することができるためシートｆ２の切断作業を軽快に行い得るものとなっている。
【００５６】
刃保持要素Ｂが、切断されるべきシートｆ２が挿入し得るシート挿入空間ｓｐを備えている。このため、操作者は、シート挿入空間ｓｐにシートｆ２を挿入させるための操作をすればよく、シートｆ２を切断するための操作を行い易いものとなっている。
【００５７】
なお、本発明は、以上に詳述した実施形態に限られるものではない。
【００６０】
シートは、紙製のものには限られない。すなわち、シートは、刃に切断され得るものであれば、どのような材質のものであってもよい。例えば、シートが、合成樹脂製のものであってもよい。
【００６１】
シートは、単一のもの（一枚のもの）に限られるものではない。すなわち、シート切断具は、複数のシートが重なり合ってなるものを切断するものであってもよい。
【００６２】
刃は、側面視において、尖端部が前傾するように配設されたものであってもよい。
【００６３】
刃ユニットや支持体本体の構成は、本発明の趣旨を逸脱しない範囲で種々変更可能であることは言うまでもない。
【００６４】
抜け止め機構の構成は、刃ユニットが支持体本体に対して抜け出ることが抑制されるものであればよく、上述した実施形態に示すものには限定されるものではない。例えば、刃ユニットに凹部を設け、その凹部に係合する凸部を支持体本体に設けるようにしてもよい。
【００６５】
シート誘導部は、切断されるべきシートを特定の位置に誘導し得るものであればよく、上述した実施形態のものに限定されるものではない。シート誘導部は、ユニット支持部と別体に構成されたものでなくてもよく、ユニット支持部と一体的に構成されたものであってもよい。
【００６７】
その他、各部の具体的構成についても上記実施形態に限られるものではなく、本発明の趣旨を逸脱しない範囲で種々変形が可能である。
【符号の説明】
【００６８】
Ａ…シート切断具
Ｂ…刃保持要素
Ｃ…刃ユニット
Ｄ…支持体本体
１…刃
１１…尖端部
２…ユニット部材
３…柄部
４…ユニット支持部
５…シート誘導部
Ｅ…シート案内手段
Ｈ…シート案内手段
Ｆ…封筒
ｆ２…シート
ｆ２１…一方のシート部分
ｆ２２…他方のシート部分
【図１】
0006776593.tif 000002
【図２】
0006776593.tif 000003
【図３】
0006776593.tif 000004
【図４】
0006776593.tif 000005
【図５】
0006776593.tif 000006
【図６】
0006776593.tif 000007
【図７】
0006776593.tif 000008
【図８】
0006776593.tif 000009
【図９】
0006776593.tif 000010
【図１０】
0006776593.tif 000011
【図１１】
0006776593.tif 000012
【図１２】
0006776593.tif 000013
【図１３】
0006776593.tif 000014
【図１４】
0006776593.tif 000015
【図１５】
0006776593.tif 000016